(57)【要約】【課題】自動車のステアリング等に用いられる照光装置に関し、操作手段の区別が明確で、操作の容易なものを提供することを目的とする。【解決手段】照光機能付きの操作手段及び電子機器に制御手段８を接続すると共に、制御手段８が電子機器の操作可否状態を検出し、所定の電子機器が操作可能な状態の時に所定の操作手段を照光するようにして照光装置を構成することによって、操作可能な状態の電子機器を操作する操作手段のみが照光され、ＯＦＦ状態等で操作が不可能な操作手段は消灯しているため、操作可能な操作手段が一目で識別でき、操作手段の区別が明確で、操作の行い易い照光装置を得ることができる。【選択図】図１
2005251557.tif 000002
【特許請求の範囲】
【請求項１】
照光機能付きの操作手段と、この操作手段によって操作可能な電子機器と、上記操作手段及び電子機器に接続された制御手段からなり、上記制御手段が上記電子機器の操作可否状態を検出すると共に、所定の電子機器が操作可能な状態の時に所定の操作手段を照光する照光装置。
【発明の詳細な説明】
【技術分野】
【０００１】
本発明は、主に自動車のステアリング等に用いられる照光装置に関するものである。
【背景技術】
【０００２】
近年、自動車の高機能化や多様化が進むなか、車室内のフロントパネル部に加え、ステアリングに照光機能付きスイッチ等の操作手段を設け、この操作によって車室内の空調や音響、通信等の電子機器の操作を行うものが増えている。
【０００３】
このような従来の照光装置について、図３を用いて説明する。
【０００４】
図３は従来の照光装置の外観平面図であり、同図において、１は車両に装着されたステアリング、２や３は電球や発光ダイオード等が内蔵された照光機能付きのスイッチで、これら複数のスイッチ２や３はステアリング１を握ったままで操作が可能なように、ステアリング中央のパッド外周に配置されている。
【０００５】
そして、スイッチ２や３が車室内のエアコンやオーディオ、電話等の各電子機器（図示せず）に接続されると共に、これら電子機器はランプスイッチ（図示せず）等を介して車両の電源回路に接続されて、照光装置が構成されている。
【０００６】
以上の構成において、車両の電源、及びエアコンやオーディオ等の電子機器が操作可能なＯＮの状態で、スイッチ２や３を操作すると、これらの電子機器の操作、例えば、エアコンの温度の上下や、オーディオの音量の増減等を、ステアリング１を握ったままで行うことができる。
【０００７】
また、夜間等の周囲が暗い場合に、ランプスイッチ等によってランプを点灯すると、エアコンやオーディオ等の電子機器の表示部や操作部が照光すると共に、内蔵された電球や発光ダイオード等によってスイッチ２や３が照光し、周囲が暗い状態でも各電子機器の操作が行い易いように構成されているものであった。
【０００８】
なお、この出願の発明に関連する先行技術文献情報としては、例えば、特許文献１が知られている。
【特許文献１】特開２００１−２４６９９４号公報
【発明の開示】
【発明が解決しようとする課題】
【０００９】
しかしながら、上記従来の照光装置においては、周囲が明るくランプが消灯した状態ではスイッチ２や３も消灯し、周囲が暗くランプが点灯した状態では全てのスイッチが照光しているため、消灯時にはスイッチが見にくく、照光時にも個々のスイッチの区別がつきづらいという課題があった。
【００１０】
本発明は、このような従来の課題を解決するものであり、複数のスイッチの区別が明確で、操作の容易な照光装置を提供することを目的とする。
【課題を解決するための手段】
【００１１】
上記目的を達成するために本発明は、照光機能付きの操作手段及び電子機器に制御手段を接続すると共に、制御手段が電子機器の操作可否状態を検出し、所定の電子機器が操作可能な状態の時に、所定の操作手段を照光するようにして照光装置を構成したものであり、例えば、ＯＮ状態となっている操作可能な電子機器を操作する操作手段のみが照光され、ＯＦＦ状態で操作が不可能な操作手段は消灯しているため、操作可能な操作手段が一目で識別でき、操作手段の区別が明確で、操作の行い易い照光装置を得ることができるという作用を有する。
【発明の効果】
【００１２】
以上のように本発明によれば、操作手段の区別が明確で、操作の容易な照光装置を実現することができるという有利な効果が得られる。
【発明を実施するための最良の形態】
【００１３】
以下、本発明の実施の形態について、図１及び図２を用いて説明する。
【００１４】
なお、背景技術の項で説明した構成と同一構成の部分には同一符号を付して、詳細な説明を簡略化する。
【００１５】
（実施の形態）
図１は本発明の一実施の形態による照光装置のブロック回路図、図２は同外観平面図であり、同図において、１は車両に装着されたステアリング、５Ａや６Ａ、７Ａは操作手段としての、電球や発光ダイオード等が内蔵された照光機能付きのスイッチで、これら複数のスイッチはステアリング１を握ったままで操作が可能なように、ステアリング中央のパッド外周に配置されている。
【００１６】
また、これらのスイッチが車室内のエアコン５やオーディオ６、電話７等の各電子機器に接続されると共に、これら電子機器はランプスイッチ（図示せず）等を介して車両の電源回路に接続されている。
【００１７】
そして、８はマイコンや電子部品によって形成された制御手段で、この制御手段８が各スイッチの照光機能と各電子機器に接続されて、照光装置が構成されている。
【００１８】
以上の構成において、車両の電源、及びエアコン５やオーディオ６等の電子機器がＯＮ状態の場合には、制御手段８がこの所定の電子機器が操作可能な状態であることを検出して、例えば、エアコン５がＯＮの場合にはエアコン操作用のスイッチ５Ａを、オーディオ６がＯＮの場合にはオーディオ操作用のスイッチ６Ａを、内蔵された電球や発光ダイオード等の照光機能によって各々照光させる。
【００１９】
つまり、操作可能なＯＮ状態の電子機器の操作手段のみが照光され、ＯＦＦ状態でスイッチを操作しても動作しない電子機器の操作手段は消灯されているため、操作手段を見ただけで、どの電子機器が操作可能なのか操作が不可能なのかを一目で識別することができる。
【００２０】
そして、照光している操作手段、例えば、スイッチ５Ａや６Ａを操作すると、これらの電子機器の操作、例えば、エアコン５の温度の上下や、オーディオ６の音量の増減等が、ステアリング１を握ったままで行われる。
【００２１】
また、夜間等の周囲が暗い時に、ランプスイッチ等によってランプを点灯した場合にも、制御手段８が操作可能な状態の電子機器を検出して、この操作手段のみを照光するため、電子機器がＯＦＦ状態等で消灯している操作手段を誤まって操作することもなく、操作手段の区別を明確に行うことができる。
【００２２】
なお、電話７等のように、通常はＯＦＦ状態で送受信が行われた時のみ操作可能なＯＮ状態となる電子機器の場合には、制御手段８がこの電話７の送受信状態を検出して、例えば、スイッチ７Ａを操作して電話７をかけたり、電話７がかかってきた時に電話操作用のスイッチ７Ａを照光するように構成されている。
【００２３】
このように本実施の形態によれば、照光機能付きの操作手段及び電子機器に制御手段８を接続すると共に、制御手段８が電子機器の操作可否状態を検出し、所定の電子機器が操作可能な状態の時に所定の操作手段を照光するようにして照光装置を構成することによって、操作可能な状態の電子機器を操作する操作手段のみが照光され、ＯＦＦ状態等で操作が不可能な操作手段は消灯しているため、操作可能な操作手段が一目で識別でき、操作手段の区別が明確で、操作の行い易い照光装置を得ることができるものである。
【産業上の利用可能性】
【００２４】
本発明による照光装置は、操作手段の区別が明確で、操作の容易なものを実現することができ、自動車のステアリング等に用いられる照光装置として有用である。
【図面の簡単な説明】
【００２５】
【図１】本発明の一実施の形態による照光装置のブロック回路図
【図２】同外観平面図
【図３】従来の照光装置の外観平面図
【符号の説明】
【００２６】
１  ステアリング
５Ａ、６Ａ、７Ａ  スイッチ
５  エアコン
６  オーディオ
７  電話
８  制御手段
【図１】
2005251557.tif 000003
【図２】
2005251557.tif 000004
【図３】
2005251557.tif 000005